(57)【特許請求の範囲】
【請求項１】
照明用ライトガイドの入射端部が配置されて光源装置に着脱自在に接続される内視鏡のライトガイドコネクタであって、上記光源装置の照明光集光部に差し込まれる受光用差し込み口金がコネクタ本体部から突設されたものにおいて、
金属より熱伝導率の小さな合成樹脂材で形成されて上記コネクタ本体部を外装する筒状ケースの内面に沿って、円筒形状の本体部金属筒が配置され、上記本体部金属筒の内表面が凹凸面状に形成されて上記コネクタ本体部の内部空間に面して配置され、上記本体部金属筒と上記受光用差し込み口金とが面接触連結されていることを特徴とする内視鏡のライトガイドコネクタ。
【請求項２】
流体通過管路を構成する金属管が上記コネクタ本体部内の空間中に配置されていて、その金属管の表面が凹凸面に形成されている請求項１記載の内視鏡のライトガイドコネクタ。
【請求項３】
上記本体部金属筒の内表面が、波板状凹凸面又は螺旋状に形成されている請求項１又は２記載の内視鏡のライトガイドコネクタ。
【発明の詳細な説明】
【０００１】
【発明の属する技術分野】
この発明は、照明用ライトガイドの入射端部が配置されて光源装置に着脱自在に接続される内視鏡のライトガイドコネクタに関する。
【０００２】
【従来の技術】
内視鏡のライトガイドコネクタは一般に、光源装置の照明光集光部に差し込まれる受光用差し込み口金がコネクタ本体部から突設された構成になっており、受光用差し込み口金は耐熱上の理由から金属によって形成されている。
【０００３】
【発明が解決しようとする課題】
受光用差し込み口金の照明光入射端部付近は、光源ランプから放射された照明光が集光されることによって相当の高温になる。
【０００４】
そのため、内視鏡を使用した後で内視鏡のライトガイドコネクタを光源装置から抜いた際に受光用差し込み口金に触れると、火傷をするほどではないにしても非常に熱く感じて触った状態を続けることはできず、大きな不快感を与えるものであった。
【０００５】
そこで本発明は、受光用差し込み口金の温度上昇を抑制して、光源装置から抜いたときに受光用差し込み口金に触れてもさほど熱く感じないですむ内視鏡のライトガイドコネクタを提供することを目的とする。
【０００６】
【課題を解決するための手段】
上記の目的を達成するため、本発明の内視鏡のライトガイドコネクタは、照明用ライトガイドの入射端部が配置されて光源装置に着脱自在に接続される内視鏡のライトガイドコネクタであって、光源装置の照明光集光部に差し込まれる受光用差し込み口金がコネクタ本体部から突設されたものにおいて、コネクタ本体部の内部に配置されている内部金属部材の表面を凹凸面に形成し、受光用差し込み口金と内部金属部材とを面接触連結したものである。それによって、受光用差し込み口金が光源装置の集光部に差し込まれて受けた熱が、それら内部金属部材に伝導されてコネクタ本体部内によく放熱される。
【０００７】
そして、さらにコネクタ本体部内の空間中に配置された流体通過管路を構成する金属管の表面を凹凸面に形成することにより、コネクタ本体部内に籠もった熱を効率よく外部に搬出することができる。なお、コネクタ本体部の外周壁は合成樹脂によって形成するとよい。
【０００８】
【発明の実施の形態】
図面を参照して本発明の実施の形態を説明する。
図４は内視鏡の全体構成を示しており、操作部１の下端に挿入部２の基端が連結され、操作部１には吸引操作釦３、送気送水操作釦４等各種の操作部材が配置されている。
【０００９】
また、図示されていない光源装置に着脱自在に接続されるライトガイドコネクタ１０が、操作部１の後面上部に連結された可撓性連結管５の先端に取り付けられている。
【００１０】
ライトガイドコネクタ１０には、光源装置の光源ランプの集光部に差し込まれる受光用差し込み口金１１がコネクタ本体部１２の先端面から突設されており、照明用ライトガイド１３の入射端面１３ａが受光用差し込み口金１１の突端に配置されている。
【００１１】
また、コネクタ本体部１２には、吸引チューブを接続するための吸引口金１４、送気送水チューブを接続するための送気送水口金１５、アース線を接続するためのアース端子１６、及び内部圧力を調整するための圧力調整弁１７等が側面に突設されている。
【００１２】
図１及び図２は、ライトガイドコネクタ１０の正面断面図と平面断面図、図３は、図２におけるIII−III断面図である。
ライトガイドコネクタ１０は、金属より熱伝導率の小さな合成樹脂製の筒状ケース２１と略円盤状の前蓋２２とによって外装されている。また、ライトガイドコネクタ１０から可撓性連結管５側にゴム製の折れ止め２３が被覆されている。２４は、折れ止め２３と一体にその内面側に配置されたインサート金属部材である。
【００１３】
そのような外装部材２１〜２４の内面に沿って、例えばアルミニウム合金等の金属製の部材３１〜３３が配置されている。筒状ケース２１の内面とインサート金属部材２４の内面に沿って配置された本体部金属筒３１と連結部金属筒３３は略円筒形状であり、前蓋２２の内面に沿って配置された前蓋受け盤３２は皿状である。
【００１４】
前蓋受け盤３２と連結部金属筒３３は、各々本体部金属筒３１と面で嵌合接触した状態で連結されて、その連結状態がネジ止め固定されている。そして、連結部金属筒３３の後端部には可撓性連結管５の端部が連結固定されている。
【００１５】
そして、前蓋受け盤３２の中心位置に貫通形成された孔には、受光用差し込み口金１１の基部が通されて金属製のナット３４によって締め付け固定されており、ナット３４は前蓋受け盤３２の面部に密着している。
【００１６】
したがって、受光用差し込み口金１１はナット３４にネジ部で面接触していて、そのナット３４は前蓋受け盤３２に面接触し、前蓋受け盤３２は本体部金属筒３１に面接触し、さらに本体部金属筒３１は連結部金属筒３３に面接触している。その結果、受光用差し込み口金１１が光源装置の集光部に差し込まれて受けた熱が、それら内部金属部材３４，３２，３１，３３に熱伝導される。
【００１７】
このような構成において、本体部金属筒３１、連結部金属筒３３及びナット３４の各壁面のうちコネクタ本体部１２の内部空間に面する壁面が、例えば矩形の断面形状の波板状凹凸面に形成されて、表面積を大きくしてある。ただし、凹凸を螺旋状に形成してもよい。
【００１８】
したがって、受光用差し込み口金１１から伝導された熱が各内部金属部材３１，３３，３４の表面から筒状ケース２１の内部空間に放熱され易く、その結果、受光用差し込み口金１１の温度上昇が抑制される。
【００１９】
コネクタ本体部１２の側面に突設された吸引口金１４と送気送水口金１５には、コネクタ本体部１２の内部空間中に配置された例えばステンレス鋼管製の吸引接続管４１、送気送水接続管４２の端部が接続されている。
【００２０】
吸引接続管４１と送気送水接続管４２の他端側には、可撓性連結管５内に挿通配置された吸引チューブ５１と送気送水チューブ５２が接続されている。その結果、吸引接続管４１内及び送気送水接続管４２内を通過する流体が、コネクタ本体部１２の内部空間に籠もった熱をライトガイドコネクタ１０の外に搬出する機能を有する。
【００２１】
このような構成において、吸引接続管４１及び送気送水接続管４２の表面も凹凸面に形成されて表面積を大きくしてある。その凹凸形状は螺旋状であってもなくてもよい。その結果、コネクタ本体部１２の内部空間に籠もった熱が吸引接続管４１と送気送水接続管４２に吸収されて外部へ搬出され易く、受光用差し込み口金１１の温度上昇が抑制される。
【００２２】
【発明の効果】
本発明によれば、ライトガイドコネクタのコネクタ本体部の内部に配置されている内部金属部材の表面を凹凸面に形成し、受光用差し込み口金と内部金属部材とを面接触状態に連結したことにより、受光用差し込み口金が光源装置の集光部に差し込まれて受けた熱が、それら内部金属部材に伝導されてコネクタ本体部内によく放熱され、その結果、受光用差し込み口金の温度上昇を抑制して、光源装置から抜いたときに受光用差し込み口金に触れてもさほど熱く感じないで済む。
【００２３】
さらに、コネクタ本体部内の空間に配置されている流体通過管路を構成する金属管表面を凹凸面に形成することにより、コネクタ本体部内に籠もった熱を効率よく外部に搬出することができる。
【図面の簡単な説明】
【図１】本発明の実施の形態の内視鏡のライトガイドコネクタの正面断面図である。
【図２】本発明の実施の形態の内視鏡のライトガイドコネクタの平面断面図である。
【図３】本発明の実施の形態の図２におけるIII−III断面図である。
【図４】本発明の実施の形態の内視鏡の全体構成を示す側面図である。
【符号の説明】
１０  ライトガイドコネクタ
１１  受光用差し込み口金
１２  コネクタ本体部
１３  照明用ライトガイド
１４  吸引口金
１５  送気送水口金
３１，３２，３３，３４  内部金属部材
４１  吸引接続管
４２  送気送水接続管
【図１】
0004295863.tif 000002
【図２】
0004295863.tif 000003
【図３】
0004295863.tif 000004
【図４】
0004295863.tif 000005